(57)【要約】【課題】    取付作業の作業性を向上させることができる錠受け装置、およびこれを備えた建具を提供すること。【解決手段】受け部材（前面部材１１およびストライクボックス１２）と引寄せ片１２３とを備えた錠受け装置１０を、前面部材１１の固定部１１４を介して縦枠２に固定することで、一度の取付作業によって縦枠２に取り付けられるので、障子４の建て込み時における受け孔１１１および引寄せ片１２３の位置調整が同時に実施でき、取付作業の作業性を向上させることができる。【選択図】  図３
2005127047.tif 000002
【特許請求の範囲】
【請求項１】
枠および障子を備えた建具における縦枠の側面に取り付けられ、前記障子の縦框に設けられた錠部材に係合する錠受け装置であって、
前記錠部材が係合する受け孔、この受け孔の後方を覆う凹穴部、および前記縦枠に固定される固定部を有した受け部材と、
前記受け部材よりも前記障子側に突出するとともに、当該障子を閉じた際に、前記縦框に当接して当該縦框を見込み方向に案内する引寄せ片と
を備えた錠受け装置。
【請求項２】
前記引寄せ片は、前記受け部材の受け孔に対して前記縦枠の見込み方向に位置調整可能に設けられている請求項１に記載の錠受け装置。
【請求項３】
前記受け部材は、前記受け孔および固定部が設けられた第１部材と、この第１部材よりも前記縦枠側に配置され、前記凹穴部および引寄せ片が設けられた第２部材とを備えて構成され、
前記第２部材は、前記第１部材と前記縦枠とに挟まれて当該縦枠に固定される請求項１または請求項２に記載の錠受け装置。
【請求項４】
前記引寄せ片は、前記第１部材の受け孔に対して、左右いずれかに偏って前記第２部材に形成されており、前記第２部材は、前記引寄せ片が前記建具の見込み方向一方側または他方側に配置されるように、上下反転して取り付け可能に構成されている請求項３に記載の錠受け装置。
【請求項５】
前記第２部材は、軟質な材料から形成され、この第２部材には、前記第１部材よりも前記障子側に突出して当該障子の縦框が衝突した際の衝撃を緩和するための緩衝部が設けられている請求項３または請求項４に記載の錠受け装置。
【請求項６】
前記受け部材の前面には、前記障子の縦框が衝突した際の衝撃を緩和するための緩衝材が設けられている請求項１から請求項４のいずれかに記載の錠受け装置。
【請求項７】
枠および障子を備えた建具であって、
前記枠の縦枠には、請求項１から請求項６のいずれかに記載の錠受け装置と、この錠受け装置を構成する引寄せ片に対向して当該縦枠の長手方向に沿った気密材とが設けられ、
前記障子を閉じた際に、当該障子の縦框が前記引寄せ片に案内されて前記気密材に密接される建具。
【発明の詳細な説明】
【技術分野】
【０００１】
本発明は、錠受け装置、およびこれを備えた建具に関する。
【背景技術】
【０００２】
従来より、錠受けと、この錠受けに係合する鎌錠とを備えた建具が知られている（例えば、特許文献１参照）。
特許文献１に記載された建具は、窓枠、固定壁、および障子を備えた片引き戸であって、縦枠に錠受け部材が取り付けられ、障子の縦框に鎌錠が設けられている。また、縦枠には、障子の縦框に取り付けられた引寄せ片をガイドして障子を引き寄せるガイド片が一体に形成されており、障子を閉じた際に引寄せ片がガイド片にガイドされることで、縦框の側面が縦枠のＡＴ材に密接されて気密性が確保されるようになっている。そして、片引き戸は、障子を閉じた状態で、操作つまみを回して鎌錠を縦枠側に回動させ、錠受けの受け孔に係合させることで、施錠できるようになっている。
【０００３】
【特許文献１】特開２００２−２４２５４４号公報
【発明の開示】
【発明が解決しようとする課題】
【０００４】
しかしながら、特許文献１に記載の建具では、窓枠に障子を建て込む際に、縦框に取り付けられた引寄せ片と、縦枠に取り付けられた錠受け部材との、２箇所に取り付けられた部材の位置調整を別々に行う必要があるため、取付作業に手間が掛かるという問題がある。すなわち、引寄せ片の位置調整によって、障子の見込み方向の位置決めを実施した後に、鎌錠が受け孔に円滑に係合されるように錠受け部材の位置決めを実施しなければならず、二度の位置調整作業が必要であり手間を要する。
【０００５】
本発明の目的は、取付作業の作業性を向上させることができる錠受け装置、およびこれを備えた建具を提供することにある。
【課題を解決するための手段】
【０００６】
本発明の錠受け装置は、枠および障子を備えた建具における縦枠の側面に取り付けられ、前記障子の縦框に設けられた錠部材に係合する錠受け装置であって、前記錠部材が係合する受け孔、この受け孔の後方を覆う凹穴部、および前記縦枠に固定される固定部を有した受け部材と、前記受け部材よりも前記障子側に突出するとともに、当該障子を閉じた際に、前記縦框に当接して当該縦框を見込み方向に案内する引寄せ片とを備えたことを特徴とする。
【０００７】
このような構成によれば、引寄せ片と受け部材とを備えて錠受け装置を構成し、受け部材の固定部を介して縦枠に固定することで、一度の取付作業によって縦枠に取り付けられるため、障子建て込み時における受け孔や引寄せ片の位置調整が同時に実施でき、取付作業の作業性を向上させることができる。
また、錠受け装置に引寄せ片が設けられているので、縦枠に一体に引寄せ片やガイド片を形成する必要がなく、縦枠の部材断面を単純化でき、枠材の設計や製造に要する手間やコストを削減することができる。
ここで、引寄せ片を受け部材に一体に設けた場合でも、鎌錠等の錠部材を受け入れる受け孔は、通常、鎌錠等の幅寸法よりも若干大きめに形成されてクリアランスが設定されているため、このクリアランスの範囲内において、引寄せ片の位置調整ができるようになっている。
【０００８】
この際、本発明の錠受け装置では、前記引寄せ片は、前記受け部材の受け孔に対して前記縦枠の見込み方向に位置調整可能に設けられていることが好ましい。
このような構成によれば、固定部を介して受け部材を縦枠に取り付ける前、または取り付けた後に、引寄せ片の位置調整を個別に実施できるので、より高精度に調整作業を行うことができる。このように、引寄せ片の調整作業を別途実施したとしても、一つの錠受け装置において作業が実施できるので、従来のように異なる二箇所以上において作業を実施する場合と比較して、作業効率を向上させることができる。
【０００９】
また、本発明の錠受け装置では、前記受け部材は、前記受け孔および固定部が設けられた第１部材と、この第１部材よりも前記縦枠側に配置され、前記凹穴部および引寄せ片が設けられた第２部材とを備えて構成され、前記第２部材は、前記第１部材と前記縦枠とに挟まれて当該縦枠に固定されることが好ましい。
【００１０】
このような構成によれば、第１および第２の部材の二部材から受け部材を構成し、第２部材に引寄せ片を設け、第１部材の固定部を縦枠に固定することで、一度の取付作業によって縦枠に取り付けられるため、受け孔および引寄せ片の位置調整が同時に実施でき、取付作業の作業性を向上させることができる。
さらに、第１部材と第２部材とが別部材で構成されるので、縦框および錠部材の組み合わせに応じて、適切な大きさや形状の引寄せ片や受け孔を有した第１および第２部材を選択することで、これら各部材の共通化を図り、部品点数を削減して低コスト化を促進させることができる。
【００１１】
この際、本発明の錠受け装置では、前記引寄せ片は、前記第１部材の受け孔に対して、左右いずれかに偏って前記第２部材に形成されており、前記第２部材は、前記引寄せ片が前記建具の見込み方向一方側または他方側に配置されるように、上下反転して取り付け可能に構成されていることが好ましい。
このような構成によれば、第２部材が上下反転して取り付け可能、すなわち第２部材を前方側（障子側）から見た場合に、受け孔に対して左右任意の側に引寄せ片を位置させて第２部材を取り付けることができるので、建具の開閉方向（右引きや左引き）や、縦框を案内する方向等に関わらず、共通の第２部材を用いることができ、部品点数を削減して低コスト化をさらに促進させることができる。
【００１２】
さらに、本発明の錠受け装置では、前記第２部材は、軟質な材料から形成され、この第２部材には、前記第１部材よりも前記障子側に突出して当該障子の縦框が衝突した際の衝撃を緩和するための緩衝部が設けられていることが好ましい。
ここで、軟質な材料としては、ゴムや軟質合成樹脂等が採用できる。
このような構成によれば、錠受け機能、障子の引寄せ機能、および戸当り機能を備えた錠受け装置を構成することができる。すなわち、緩衝部による戸当り機能を備えたことで、障子を閉じた時の縦框と縦枠（錠部材と錠受け装置）の衝突音や振動の発生を抑制することができる。さらに、緩衝部を第２部材に一体に設けたことで、部品点数が増加することなく戸当り機能を付加することができる。
【００１３】
また、本発明の錠受け装置では、前記受け部材の前面には、前記障子の縦框が衝突した際の衝撃を緩和するための緩衝材が設けられていてもよい。
このような構成によっても、戸当り機能を錠受け装置に付加することができる。
【００１４】
一方、本発明の建具は、枠および障子を備えた建具であって、前記枠の縦枠には、前記いずれかの錠受け装置と、この錠受け装置を構成する引寄せ片に対向して当該縦枠の長手方向に沿った気密材とが設けられ、前記障子を閉じた際に、当該障子の縦框が前記引寄せ片に案内されて前記気密材に密接されることを特徴とする。
このような構成によれば、前述と同様の作用効果を有した建具を構成することができ、障子の縦框と気密材とが密接することで、建具の気密性を向上させることができる。
【発明を実施するための最良の形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
【００１６】
〔第１実施形態〕
本発明の第１実施形態に係る錠受け装置、およびこれを備えた建具について、図１ないし図５に基づいて説明する。
図１は、本実施形態の建具としての引戸１の一部を示す横断面図である。図２は、引戸１の縦枠２を断面して示す正面図であり、図１のII−II線矢視図である。図３は、縦枠２に設けられる錠受け装置１０を示す平面図および側面図である。図４は、錠受け装置１０を示す分解斜視図である。図５は、錠受け装置１０を示す平面図および側面図であり、図３とは異なる取付状態を示す図である。
なお、本実施形態では、引戸１について説明を行うが、本発明の建具としては、引違い窓や片引き窓等であってもよい。
【００１７】
図１、２において、引戸１は、浴室の出入り口に設けられたものであって、それぞれアルミ押出形材製の上枠、下枠、および左右の縦枠２を四周枠組みした枠３と、この枠３の内側に開閉自在に支持された障子４とを備えて構成されている。この引戸１は、例えば、互いに連動して開閉される３つの障子４を有する三連引戸であってもよく、また１つの障子４を有する片引き戸であってもよい。障子４は、アルミ押出形材製の上框、下框、および左右の縦框５を四周框組みした内部に、ガラス製やポリカーボネート製の面材６を嵌め込んで構成されている。そして、障子４は、戸先側（縦枠２側）の縦框（戸先框）５に取り付けられたハンドル７を操作することで、図中左右に開閉可能になっている。また、障子４の戸先框５には、浴室側に設けられたつまみ８により回動操作される錠部材としての鎌錠９が設けられ、縦枠２には、鎌錠９が係合する錠受け装置１０が設けられており、これらの鎌錠９および錠受け装置１０によって、引戸１は施錠可能になっている。
【００１８】
縦枠２には、その見付け方向内方側（図１中、左側）に向かって突出する２つの突出片２Ａ，２Ｂと、これらの突出片２Ａ，２Ｂによって形成され、障子４の縦框５を受け入れる凹状部２Ｃとが設けられている。突出片２Ａ，２Ｂのうち、浴室側の突出片２Ａの凹状部２Ｃの内部側には、縦框５に当接して浴室の気密性、水密性を確保するための気密材であるＡＴ材２Ｄが取り付けられている。そして、障子４を閉じた状態において、縦框５は後述する錠受け装置１０の引寄せ片１２３によって浴室側に案内されて、縦框５の浴室側側面がＡＴ材２Ｄに密接されるようになっている。
【００１９】
図３、４において、錠受け装置１０は、第１部材としての前面部材（フロント）１１と、第２部材としてのストライクボックス１２との二部材から構成されている。
前面部材１１は、ＳＵＳやアルミ等の金属製板材から曲げ加工により形成され、その前面（障子４に対向する面）に鎌錠９が係合される受け孔１１１が設けられている。この受け孔１１１の下端部には、縦枠２側に凹んだ受け部１１２が形成されており、この受け部１１２に鎌錠９が係合するようになっている（図２）。また、受け部１１２の下側には、水抜き孔１１３が設けられている。そして、前面部材１１の上下の端部には、固定部としてのビス孔１１４が設けられており、このビス孔１１４に前面側から挿通したビス１３により、前面部材１１が縦枠２に固定されている。さらに、前面部材１１の前面には、障子４の縦框５が衝突した際の衝撃を緩和するための緩衝材１４が二箇所に取り付けられている。これらの緩衝材１４は、ウレタン樹脂等の弾性を有した材料から形成され、縦框５や縦框５に取り付けられた戸当り部材（不図示）に当接するようになってる。
【００２０】
ストライクボックス１２は、金属製または樹脂製であって、全体略矩形状の前面部１２１と、この前面部１２１から縦枠２側に凹んだ凹穴部１２２とを備えて形成されている。前面部１２１の外周四辺は、前面部材１１に形成された折曲げ部１１５に係止されるようになっている。これにより、前面部材１１を縦枠２にビス止め固定することで、ストライクボックス１２の前面部１２１は、前面部材１１と縦枠２との間に挟持されるとともに、折曲げ部１１５で係止されて、ストライクボックス１２が固定される。凹穴部１２２は、前面部材１１の受け孔１１１および水抜き孔１１３の後方（縦枠２側）を覆って形成され、鎌錠９を受け入れ可能になっており、縦枠２に設けられた挿通孔に挿入されている。また、受け孔１１１を介して凹穴部１２２に浸入した水等は、前面部材１１の水抜き孔１１３から排出されるようになっている。
【００２１】
また、ストライクボックス１２の前面部１２１には、縦枠２の突出片２Ｂに沿って障子４側に突出する引寄せ片１２３が形成されている。この引寄せ片１２３は、図３に示すように、前面部材１１の受け孔１１１に対して一方の側方（見込み方向左側）の上側において、前面部材１１の前面よりも障子４側に突出し、縦枠２のＡＴ材２Ｄに対向して設けられている。そして、引寄せ片１２３の先端には、傾斜面が形成されており、障子４の縦框５が当接した際に、縦框５を浴室側に案内してＡＴ材２Ｄに密接させることができるようになっている。
以上のように、本実施形態の錠受け装置１０では、前面部材１１およびストライクボックス１２によって鎌錠９に係合する受け部材が構成され、この受け部材の一部であるストライクボックス１２に一体に引寄せ片１２３が設けられている。
【００２２】
さらに、図５に示すように、ストライクボックス１２は、上下反転して取り付け可能に構成されている。すなわち、図５の縦枠２では、図３とは異なり、ＡＴ材２Ｄが脱衣室側の突出片２Ｂに設けられており、引寄せ片１２３が浴室側になるように反転してストライクボックス１２が取り付けられるようになっている。これにより、障子４の縦框５が引寄せ片１２３に当接した際に、縦框５を脱衣室側に案内してＡＴ材２Ｄに密接させることができるようになっている。
なお、ストライクボックス１２を反転して取り付ける場合としては、ＡＴ材２Ｄの取付位置が相違する場合に限らず、障子４の開閉方向が逆になる場合などがある。
【００２３】
このような本実施形態によれば、以下のような効果がある。
（１）錠受け装置１０を前面部材１１およびストライクボックス１２の二部材から構成し、前面部材１１を縦枠２にビス止め固定することで、受け孔１１１が設けられた前面部材１１と引寄せ片１２３が設けられたストライクボックス１２とが、一度の取付作業によって縦枠２に取り付けられるため、障子４の建て込み時における受け孔１１１および引寄せ片１２３の位置調整が同時に実施でき、取付作業の作業性を向上させることができる。
【００２４】
（２）また、引寄せ片１２３がストライクボックス１２に設けられているので、縦枠２に一体に引寄せ片やガイド片を形成する必要がなく、縦枠２の部材断面を単純化でき、枠材の設計や製造に要する手間やコストを削減することができる。
【００２５】
（３）さらに、前面部材１１とストライクボックス１２とが別部材で構成されるので、縦框５および鎌錠９の組み合わせに応じて、適切な大きさや形状の引寄せ片１２３や受け孔１１１を有した前面部材１１およびストライクボックス１２を選択することで、これら各部材の共通化を図り、部品点数を削減して低コスト化を促進させることができる。
【００２６】
（４）ストライクボックス１２が上下反転して取り付け可能なので、引戸１の開閉方向（右引きや左引き）や、縦框５を案内するＡＴ材２Ｄの取付位置等に関わらず、共通のストライクボックス１２を用いることができ、部品点数を削減して低コスト化をさらに促進させることができる。
【００２７】
（５）また、引寄せ片１２３で障子４の縦框５を案内して、縦框５をＡＴ材２Ｄに密接させることで、引戸１の気密性、水密性を向上させることができる。
【００２８】
（６）また、錠受け装置１０の前面部材１１に緩衝材１４を取り付けたことで、戸当り機能を付加することができ、障子４を閉じた時の縦框５と縦枠２（錠受け装置１０）との衝突音や振動の発生を抑制することができる。
【００２９】
〔第２実施形態〕
次に、本発明の第２実施形態に係る錠受け装置について、図６に基づいて説明する。
図６(Ａ)〜(Ｃ)は、本実施形態の錠受け装置２０を示す断面図、正面図、および側面図である。
本実施形態の錠受け装置２０は、前述の第１実施形態と同様の引戸１に設けられたものであり、戸当り機能の構成が相違する。以下、相違点について詳しく説明する。
【００３０】
図６において、錠受け装置２０は、前述の第１実施形態と略同様の前面部材１１およびストライクボックス１２を備えて構成されている。
ストライクボックス１２は、軟質合成樹脂（例えば、各種熱可塑性樹脂や熱可塑性エラストマー等）から射出成形によって形成されたもので、適度な弾性を有している。そして、ストライクボックス１２の前面部１２１には、前面部材１１に設けられた挿通孔１１６を貫通して障子４（図１、２）側に突出した、緩衝部１２４が二箇所に形成されている。これらの緩衝部１２４は、障子４を閉じた際に、障子４の縦框５や縦框５に取り付けられた戸当り部材（不図示）に当接して、衝突の衝撃を緩和することができるようになっている。
【００３１】
このような本実施形態によれば、上記(１)〜(５)の効果と略同様の効果に加えて以下のような効果がある。
（７）ストライクボックス１２を軟質合成樹脂から形成し、ストライクボックス１２に緩衝部１２４を一体に設けたことで、第１実施形態のような緩衝材１４が不要になり、一層部品点数を削減して低コスト化を促進させることができる。
【００３２】
なお、本発明は、前記各実施形態に限定されるものではなく、本発明の目的を達成できる他の構成等を含み、以下に示すような変形等も本発明に含まれる。
例えば、錠受け装置１０や鎌錠９の形態や、操作方法は、前記各実施形態において説明したものに限定されるものではなく、適宜変更することが可能である。また、錠受け装置１０に係合する錠部材としては、鎌錠に限らず、他の形態のボルトを有したものでもよい。
【００３３】
また、前記実施形態では、前面部材１１をビス止めすることで、前面部材１１と縦枠２との間にストライクボックス１２を挟持する取付構造としたが、これに限らず、ストライクボックスが前面部材に適宜な係止構造により取り付けられていてもよく、またストライクボックスが縦枠に係止されるように構成してもよい。また、前面部材１１は、ビス止め固定に限らず、溶接や嵌合により縦枠２に固定されてもよい。
【００３４】
また、ストライクボックス１２に形成する引寄せ片１２３を、複数形成してもよく、例えば、前面部材１１の受け孔１１１に対して一方の側方側に縦に並べて複数の引寄せ片を配置してもよい。このようにすれば、ストライクボックス１２が上下反転可能なままで、引寄せ片１２３の強度を高めることができ、より確実に障子４の縦框５を案内することができる。
【００３５】
また、前記実施形態では、引戸１における障子４の戸先側の縦框５が当接する縦枠２に錠受け装置１０を設けたが、三連引戸における戸尻側障子の縦框と縦枠とを連結させる連結構造として本発明の錠受け装置を用いることが可能である。すなわち、戸尻側障子の縦框に鎌錠を設け、この鎌錠に係合する錠受け装置を縦枠に設けけば、戸尻側障子を縦枠に連結させることができるとともに、必要に応じて鎌錠の係合を外すことで、戸尻側障子を開閉させることもできる。そして、このような三連引戸においては、戸先側と戸尻側とでストライクボックス１２を反転させた共通の錠受け装置を用いることができる。
【００３６】
また、前記実施形態では、別体の前面部材１１およびストライクボックス１２によって受け部材を構成し、ストライクボックス１２に引寄せ片１２３を一体に設けたが、これに限らず、前面部材およびストライクボックスを一体化した受け部材を用いてもよく、この受け部材に引寄せ片を一体に設ける、または別体の引寄せ片を取り付けるように構成してもよい。そして、受け部材に別体の引寄せ片を取り付ける場合には、例えば、全体略Ｌ字形に形成した引寄せ片を、長孔等を介して受け部材にビス止めする構成が採用できる。このように、引寄せ片を受け部材に対して位置調整可能に取り付けることで、引寄せ片の位置調整精度を向上させることができる。
【００３７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３８】
【図１】本発明の第１実施形態に係る引戸の一部を示す横断面図である。
【図２】前記引戸の縦枠を断面して示す正面図である。
【図３】前記縦枠に設けられる錠受け装置を示す平面図および側面図である。
【図４】前記錠受け装置を示す分解斜視図である。
【図５】前記錠受け装置を示す平面図および側面図であり、図３とは異なる取付状態を示す図である。
【図６】(Ａ)〜(Ｃ)は、本発明の第２実施形態に係る錠受け装置を示す断面図、正面図、および側面図である。
【符号の説明】
【００３９】
１…建具である引戸、２…縦枠、２Ｄ…気密材であるＡＴ材、４…障子、５…縦框（戸先框）、９…錠部材である鎌錠、１０，２０…錠受け装置、１１…第１部材である前面部材、１２…第２部材であるストライクボックス、１４…緩衝材、１１１…受け孔、１１４…固定部であるビス孔、１２２…凹穴部、１２３…引寄せ片、１２４…緩衝部。
【図１】
2005127047.tif 000003
【図２】
2005127047.tif 000004
【図３】
2005127047.tif 000005
【図４】
2005127047.tif 000006
【図５】
2005127047.tif 000007
【図６】
2005127047.tif 000008